(57)【要約】      （修正有）【課題】弦楽器使用時の肩当てと弦楽器との取付け、組立性を大幅に向上させ、弦楽器の使用角度を自由に調整できる弦楽器の保持装置を提供する。【解決手段】弦楽器の保持装置２は、基部２１１と基部から外方へ延伸する延伸部２１４とを備える支持部材２１と、延伸部の基部と反対側の端部に連結され、弦楽器を保持する複数の保持部材２２と、延伸部と保持部材を貫通して両者を連結する軸棒２３と、を含むことを特徴とする。好適には、延伸部の基部と反対側の端部に架台部２１５を形成し、複数の保持部材が架台部に各々取り付けられるようにし、その場合、架台部の一側から複数の連結部２１７を突出させ、複数の保持部材が、各々その中央部に連結部と互いに連結される枢着部２２１を備えるようにする。【選択図】図２
0003198495.tif 000002
【実用新案登録請求の範囲】
【請求項１】
基部と前記基部から外方へ延伸する延伸部とを備える支持部材と、
前記延伸部の前記基部と反対側の端部に連結され、弦楽器を保持する複数の保持部材と、
前記延伸部と前記保持部材を貫通して両者を連結する軸棒と、
を含むことを特徴とする弦楽器の保持装置。
【請求項２】
前記延伸部の前記基部と反対側の端部に架台部を形成し、前記複数の保持部材が前記架台部に各々取り付けられることを特徴とする請求項１に記載の弦楽器の保持装置。
【請求項３】
前記架台部の一側から複数の連結部を突出させ、前記複数の保持部材が、各々その中央部に前記連結部と互いに連結される枢着部を備えることを特徴とする請求項２に記載の弦楽器の保持装置。
【請求項４】
前記保持部材の前記枢着部から延伸する一端部に弦楽器への取付け部を形成し、他端部に指押し部を形成することを特徴とする請求項３に記載の弦楽器の保持装置。
【請求項５】
前記軸棒は、前記連結部及び前記枢着部を貫通し、前記軸棒上には、前記保持部材を軸棒の軸方向に付勢する弾性部材を装着することを特徴とする請求項４に記載の弦楽器の保持装置。
【請求項６】
前記基部は、第１側と第２側とを備え、前記第１側には、凹溝を形成すると共に、前記凹溝の中央部にホールを開設し、前記ホールが前記第１側から第２側まで貫通することを特徴とする請求項１に記載の弦楽器の保持装置。
【請求項７】
前記凹溝に蓋体を収容し、前記蓋体の中央部下面に嵌合部を形成し、前記嵌合部が前記ホールを貫通することを特徴とする請求項６に記載の弦楽器の保持装置。
【請求項８】
前記架台部には、下方へ突出する挿入突部を形成することを特徴とする請求項２に記載の弦楽器の保持装置。
【請求項９】
前記保持部材の前記枢着部と前記指押し部の間に把持部が形成され、前記把持部内に前記架台部の前記挿入突部が挿入されることを特徴とする請求項８に記載の弦楽器の保持装置。
【請求項１０】
前記支持部材の基部の前記第２側が肩当て上に当接され、前記蓋体の前記嵌合部が前記ホール及び前記肩当てに形成した貫通孔を貫通することを特徴とする請求項７に記載の弦楽器の保持装置。
【請求項１１】
前記肩当ての前記貫通孔の形成箇所に装着される台座を更に備え、前記台座が前記蓋体の前記嵌合部を収容する収容空間を有することを特徴とする請求項１０に記載の弦楽器の保持装置。
【請求項１２】
前記保持部材は弦楽器の顎当てに対して取り付けられ、前記顎当ては複数の固定棒を備え、前記保持部材の前記弦楽器への取付け部は、前記弾性部材の付勢力により前記固定棒に対して圧接、保持されることを特徴とする請求項１に記載の弦楽器の保持装置。
【請求項１３】
前記支持部材の前記延伸部の材質は、可撓性を有する金属又は非金属材料のいずれかとすることを特徴とする請求項１に記載の弦楽器の保持装置。
【考案の詳細な説明】
【技術分野】
【０００１】
本考案は、組立性を大幅に向上させ、且つ使用角度を自由に調整できる弦楽器の保持装置に関する。
【背景技術】
【０００２】
現在一般的なヴィオラ、ヴァイオリン等の弦楽器の使用に供される肩当てには、２つの働きがあり、そのうちの１つは、楽器を構える姿勢を改善できることである。即ち、人の首の長さには個人差があるため、顎から鎖骨部位までの距離が、楽器の厚さに顎当ての厚さを加えた高さよりも大きい人は、弦楽器を最も快適な位置に挟んで保持しようとする場合、少し肩を上げたり、或いは頭を左側に向けたり、或いは頭を傾けたりする必要があり、いずれの場合にも、肩、首部位の緊張が起き、その姿勢を長時間保持すると、職業病に罹りやすくなるため、肩当てにはこの問題を改善できる働きがある。
【０００３】
次に、弦楽器は、その最も高価な部材が１枚の裏板であり、この裏板の縞模様、産地等は弦楽器の価値を決定するキーポイントであると同時に、弦楽器の音色を決定するキーポイントでもある。肩当てを使用せずにこれらの弦楽器を弾く場合、肩を直接裏板に当て、肩と顎で同時に力を入れて弦楽器を挟んで保持することから、裏板の振動も制限されることになる。肩当てを使用した場合、肩当ての２つの脚部が安定して裏板の周縁部を挟むことで、弦楽器の裏板全体を肩から浮かせ、そうすることで裏板を十分振動させて共鳴の作用を持たせることができる。これが、肩当てのもう１つの働きである。
【０００４】
従来の保持装置は、図１に示すように、奏者の肩に置かれる主に円弧状曲面を備えた肩当て１１が用いられ、該肩当て１１の両端近くには弦楽器保持のためのアーム１２が各々設けられている。該アーム１２を利用してヴィオラ、ヴァイオリン等の両側を前記肩当て１１に係止する。しかしながら、該肩当て１１が比較的重い材料で作製され、柔軟性も悪く、また肩に置く時の角度に制限があるため、演奏時の音の響きが悪く、弦楽器本体の両端をアーム１２に固定する際に、弦楽器本体を強く締め付けると、その圧力が比較的大きいことにより共鳴音が弱くなり、共鳴効果が減退する。また、角度調整のため弦楽器が斜めに傾きやすく、肩当て１１とヴィオラ、ヴァイオリン等が接触する際、摩擦により塗装の剥がれが生じやすく、音質にも影響を及ぼしやすい。
【０００５】
また、ヴァイオリンの練習時、練習生の首にヴァイオリンの尾部を当接させ、片方の手でヴァイオリンのネック部を保持し、他方の手で弓を持って演奏するが、従来の弦楽器用肩当ての上記のような構造では、長時間に亘り頭を片方に傾け続けることにより、練習生の首や肩に疲労を起こしやすく、ヴァイオリン練習のための有効な時間の損失と練習の質に悪影響を及ぼす可能性がある。
【０００６】
以上の如く、従来の技術は、次の欠点を有する。
１．保持装置に弦楽器を組み付ける際の組立に不便さがある。
２．弦楽器の使用角度を自由に調整できない。
３．弦楽器練習の有効な時間が失われ、練習の質も低下する。
４．弦楽器練習時の快適性が低下する。
【０００７】
よって、如何にして上記従来技術の問題点と欠陥を解決するかが、本願の考案者と当業者が研究改善すべき急務の課題となっている。
【考案の概要】
【考案が解決しようとする課題】
【０００８】
よって、上記の問題点を解決するため、本考案の主な目的は、組立性を大幅に向上させることのできる弦楽器の保持装置を提供することである。
【０００９】
本考案の副次的な目的は、弦楽器の使用角度を自由に調整できる弦楽器の保持装置を提供することである。
【００１０】
本考案の副次的な目的は、弦楽器練習の有効な時間及び質を大幅に向上できる弦楽器の保持装置を提供することである。
【００１１】
本考案の副次的な目的は、弦楽器練習時の快適性を増進できる弦楽器の保持装置を提供することである。
【課題を解決するための手段】
【００１２】
上記目的を達成するため、本考案に係る弦楽器の保持装置は、基部と前記基部から外方へ延伸する延伸部とを備える支持部材と、前記延伸部の前記基部と反対側の端部に連結され、弦楽器を保持する複数の保持部材と、前記延伸部と保持部材を貫通して両者を連結する軸棒と、を含むよう構成される。
【００１３】
本考案の好適な実施例においては、前記延伸部の前記基部と反対側の端部に架台部を形成し、前記複数の保持部材が前記架台部に各々取り付けられることを特徴とする。ただし、これに限定されない。
【００１４】
本考案の好適な実施例においては、前記架台部の一側から複数の連結部を突出させ、前記複数の保持部材が、各々その中央部に前記連結部と互いに連結される枢着部を備えることを特徴とする。ただし、これに限定されない。
【００１５】
本考案の好適な実施例においては、前記保持部材の前記枢着部から延伸する一端部に弦楽器への取付け部を形成し、他端部に指押し部を形成することを特徴とする。ただし、これに限定されない。
【００１６】
本考案の好適な実施例においては、前記軸棒は、前記連結部及び前記枢着部を貫通し、前記軸棒上には、前記保持部材を軸棒の軸方向に付勢する弾性部材を装着することを特徴とする。ただし、これに限定されない。
【００１７】
本考案の好適な実施例においては、前記基部は、第１側と第２側とを備え、前記第１側には、凹溝を形成すると共に、前記凹溝の中央部にホールを開設し、前記ホールが前記第１側から第２側まで貫通することを特徴とする。ただし、これに限定されない。
【００１８】
本考案の好適な実施例においては、前記凹溝に蓋体を収容し、前記蓋体の中央部下面に嵌合部を形成し、前記嵌合部が前記ホールを貫通することを特徴とする。ただし、これに限定されない。
【００１９】
本考案の好適な実施例においては、前記架台部には、下方へ突出する挿入突部を形成することを特徴とする。ただし、これに限定されない。
【００２０】
本考案の好適な実施例においては、前記保持部材の前記枢着部と前記指押し部の間に把持部が形成され、前記把持部内に前記架台部の前記挿入突部が挿入されることを特徴とする。ただし、これに限定されない。
【００２１】
本考案の好適な実施例においては、前記支持部材の基部の前記第２側が肩当て上に当接され、前記蓋体の前記嵌合部が前記ホール及び前記肩当てに形成した貫通孔を貫通することを特徴とする。ただし、これに限定されない。
【００２２】
本考案の好適な実施例においては、前記肩当ての前記貫通孔の形成箇所に装着される台座を更に備え、前記台座が前記蓋体の前記嵌合部を収容する収容空間を有することを特徴とする。ただし、これに限定されない。
【００２３】
本考案の好適な実施例においては、前記保持部材は弦楽器の顎当てに対して取り付けられ、前記顎当ては複数の固定棒を備え、前記保持部材の前記弦楽器への取付け部は、前記弾性部材の付勢力により前記固定棒に対して圧接、保持されることを特徴とする。ただし、これに限定されない。
【００２４】
本考案の好適な実施例においては、前記支持部材の前記延伸部の材質は、可撓性を有する金属又は非金属材料のいずれかとすることを特徴とする。ただし、これに限定されない。
【考案の効果】
【００２５】
本考案は上記の如き構成を有することにより、練習生が弦楽器の演奏時において肩当てを使用する時、本考案の保持装置を利用してその支持部材の基部を肩当て上に装着し、前記保持部材を顎当てに取り付けるようにする。その際、顎当てが備える複数の固定棒を利用し、前記保持部材の取付け部をこれら固定棒に嵌め付ける等して取り付けることで、該肩当てが前記保持装置及び顎当てを介して弦楽器に固定され、これにより、肩当てと弦楽器との取付け、組立性を大幅に向上させることができる。さらに、本考案の保持装置の前記の如き構成により、練習生が弦楽器練習時の弦楽器の使用角度を自由に調整できることで、弦楽器練習の有効な時間及び質を大幅に向上させ、且つ弦楽器練習時に生じる不快感を軽減することができる。
【図面の簡単な説明】
【００２６】
【図１】弦楽器の肩当てに設けられた従来の保持装置の説明図である。
【図２】本考案に係る弦楽器の保持装置の実施例１の立体分解図である。
【図３】本考案に係る弦楽器の保持装置の実施例１の立体組立図である。
【図４】本考案に係る弦楽器の保持装置の実施例１と肩当ての立体分解図である。
【図５】本考案に係る弦楽器の保持装置の実施例１と肩当ての立体組立図である。
【図６】本考案に係る弦楽器の保持装置の実施例１と肩当ての使用状態の第１ステップを示す模式図である。
【図７】本考案に係る弦楽器の保持装置の実施例１と肩当ての使用状態の第２ステップを示す模式図である。
【図８】本考案に係る弦楽器の保持装置の実施例１と肩当ての使用状態の第３ステップを示す模式図である。
【図９】本考案に係る弦楽器の保持装置の実施例１の機能を説明する模式図である。
【図１０】本考案に係る弦楽器の保持装置の実施例１と肩当て及び弦楽器の取付状態を示す立体図である。
【考案を実施するための形態】
【００２７】
本考案の上記目的及びその構造と機能上の特性を十分理解可能なよう、以下、添付図面の好ましい実施例に基づき、本考案を詳細に説明する。
【実施例】
【００２８】
図２及び図３を参照すると、図２には本考案に係る弦楽器の保持装置の実施例１の立体分解図が示され、図３にはその立体組立図が示されている。図に示すように、本考案に係る弦楽器の保持装置２は、支持部材２１と、複数（図示した例では一対）の保持部材２２と、軸棒２３とを含み、該支持部材２１が基部２１１と、該基部２１１から外方へ延伸する延伸部２１４とを備えている。該延伸部２１４の該基部２１１とは反対側の端部には架台部２１５が設けられ、該架台部２１５の一側から複数（図示した例では一対）の連結部２１７を突出させ、該架台部２１５の両端から所定長さの領域には各々下方へ延伸する挿入突部２１６を形成する。
【００２９】
前記基部２１１は、第１側２１１１と第２側２１１２とを備え、該第１側２１１１には凹溝２１２を形成すると共に、その中央部にホール２１３を開設し、該ホール２１３が前記第１側２１１１から第２側２１１２へ貫通するようになっている。
【００３０】
前記架台部２１５の一対の連結部２１７、２１７の間には、軸棒２３によって一対の保持部材２２、２２と弾性部材２４とが軸支されている（図３参照）。即ち、前記保持部材２２の中央部には、前記軸棒２３が挿通され、前記連結部２１７と連結される枢着部２２１が設けられると共に、該枢着部２２１から延伸した一端部に弦楽器への取付け部２２２が形成され、他端部には使用者が指で押す指押し部２２３が形成されている。弦楽器への取付け部２２２は、図示した実施例において、その断面が凹型をなしている。また前記枢着部２２１と指押し部２２３の間には把持部２２４が形成され、該把持部２２４には、前記架台部２１５に形成した前記挿入突部２１６が挿入されるようになっている。
【００３１】
前記軸棒２３は、上記の如く、前記架台部２１５の一対の連結部２１７、２１７と、その間に設けられる一対の保持部材２２、２２の枢着部２２１、２２１を貫通し、該軸棒２３上には前記枢着部２２１、２２１の間に弾性部材２４が装着されている。
【００３２】
次に、図４及び図５を参照すると、図４には本考案に係る弦楽器の保持装置の実施例１と肩当ての立体分解図が示され、図５にはその立体組立図が示されている。本考案の保持装置２を肩当て３に取り付ける際には、保持装置２の支持部材２１の基部２１１の前記第１側２１１１の凹溝２１２に、蓋体２５を嵌め入れる。該蓋体２５の中央部には嵌合部２５１を形成し、該嵌合部２５１は、前記基部２１１の前記ホール２１３を貫通し、さらに、肩当て３に明けた貫通孔３１まで貫通するようになっている。肩当て３は、互いに貼り合わせられる上面体３０と、底面プレート３２とから構成されている。
【００３３】
そして、この実施例における弦楽器の保持装置２は、前記肩当て３の貫通孔３１に対応する箇所に取り付けられる台座４を更に備え、該台座４は、前記蓋体２５の嵌合部２５１を収容する収容空間４３を有している。即ち、該台座４は、その外径が肩当て３の前記貫通孔３１の内径より大きいフランジ４１と、外径が肩当て３の前記貫通孔３１の内径とほぼ等しい円筒部４２を有し、該円筒部４２の内部が前記収容空間４３を形成すると共に、前記フランジ４１が、前記肩当て３の前記上面体３０と底面プレート３２の間に挟まれた状態で肩当て３に取り付けられる。したがって、前記蓋体２５の嵌合部２５１が前記ホール２１３、貫通孔３１を経て台座４の収容空間４３に嵌め入れられることにより、保持装置２の前記基部２１１の前記第２側２１１２が肩当て３と当接した状態で、図５に示すように、肩当て３上に保持装置２が回転可能な状態で取り付けられる。なお、前記蓋体２５の嵌合部２５１の外周面に雄ねじを形成し、前記台座４の円筒部４２の内周面に雌ねじを形成して、蓋体２５と台座４とを螺着するようにしてもよい。
【００３４】
図６、図７、図８を参照すると、これらの図には、本考案に係る弦楽器の実施例１の保持装置と肩当てを、弦楽器の顎当てに取り付けて使用する場合の第１〜３ステップを示す模式図が示されている。弦楽器の練習生等は、前記肩当て３を弦楽器６と結合する時、本考案の保持装置２を利用して、前記支持部材２１の基部２１１の第２側２１１２を、前記の如くして、肩当て３上に当接させ、連結することができる。その後、練習生は、前記一対の保持部材２２、２２の指押し部２２３、２２３を互いに近づけるように指で押圧すると、前記弾性部材２４が圧縮されて変形することで、前記一対の保持部材２２、２２が該軸棒２３の中央方向へ向けて移動（図６参照）する。次に、いずれか一方の保持部材２２の弦楽器への取付け部２２２を顎当て５と連結する。即ち、該顎当て５には複数（図示した例では２本）の固定棒５１、５１が備えられているため、前記保持部材２２の弦楽器への取付け部２２２（断面が凹型）をいずれか一方の固定棒５１に嵌め合せる（図７参照）。最後に他方の保持部材２２の弦楽器への取付け部２２２を他の固定棒５１に嵌め合せる。然る後、前記指押し部２２３、２２３から指を放すと、前記弾性部材２４の付勢力によって前記一対の取付け部２２２がそれぞれ固定棒５１に圧接、保持され、前記肩当て３が前記保持装置２と顎当て５を介して前記弦楽器６に取り付けられる（図８参照）ことになり、肩当て３を弦楽器６と固定する際の取付け、組立て効率を大幅に向上させることができる。
【００３５】
図９及び図１０を参照すると、図９には、本考案に係る弦楽器の保持装置の実施例１の機能を説明する模式図が示され、図１０には、当該実施例１の保持装置２を、肩当て３と、顎当て５の固定棒５１を介して弦楽器６とに取り付けた状態を示す立体図が示されている。本考案に係る保持装置２は、前記の如き構成を有することにより、練習生の弦楽器練習時には、図９に示すように、前記支持部材２１の基部２１１と前記蓋体２５とが肩当て３に対して回動可能であるため、肩当て３と弦楽器の角度を演奏時に最も快適な角度となるように自由に左向き或いは右向きに調整できる。また、好適な実施例においては、前記支持部材２１の延伸部２１４は、可撓性を有する金属又は非金属材料のいずれかとする。そうすることにより、該支持部材２１を上方或いは下方に向かって曲げることで、該肩当て３と弦楽器６が練習生の肩と顎に接触する間隔を調整でき、練習生は長時間にわたって頭を傾け或いは肩を上げた状態を維持しなければならない不快感から解放され、肩をリラックスさせることができるので疲労しにくくなり、弦楽器練習の有効な時間及び質を大幅に向上させることができる。
【００３６】
以上に述べたことによると、本考案は従来の技術に比べて以下の利点を有する。
１．弦楽器と肩当てとの取付け、組立性を大幅に向上させ得る。
２．弦楽器の使用角度を自由に調整できる。
３．弦楽器練習の有効な時間及び質を大幅に向上させ得る。
４．弦楽器練習時の快適性を増進させ得る。
【００３７】
以上に述べたものは、あくまでも本考案の好ましい実施例であって、本考案はこのような具体例のみに限定されて狭義的に解釈されるべきものではなく、本考案の実用新案登録請求の範囲に記載される形状、構造、特徴及び精神に基づいて行われる種々の変更、修正、改良等は、本考案の実用新案登録請求の範囲内に含まれるものである。
【産業上の利用可能性】
【００３８】
本考案は以上のように構成したので、ビオラやヴァイオリンなどの弦楽器の使用のため、弦楽器に対して肩当てを取り付ける際の取付け、組立て作業を大幅に容易化できると共に、演奏もしやすくできる弦楽器の保持装置として好適に用いられるものである。
【符号の説明】
【００３９】
１１      肩当て
１２      アーム
２        保持装置
２１      支持部材
２１１    基部
２１１１  第１側
２１１２  第２側
２１２    凹溝
２１３    ホール
２１４    延伸部
２１５    架台部
２１６    挿入突部
２１７    連結部
２２      保持部材
２２１    枢着部
２２２    取付け部
２２３    指押し部
２２４    把持部
２３      軸棒
２４      弾性部材
２５      蓋体
２５１    嵌合部
３        肩当て
３０      上面体
３１      貫通孔
３２      底面プレート
４        台座
４１      フランジ
４２      円筒部
４３      収容空間
５        顎当て
５１      固定棒
６        弦楽器
【図１】
0003198495.tif 000003
【図２】
0003198495.tif 000004
【図３】
0003198495.tif 000005
【図４】
0003198495.tif 000006
【図５】
0003198495.tif 000007
【図６】
0003198495.tif 000008
【図７】
0003198495.tif 000009
【図８】
0003198495.tif 000010
【図９】
0003198495.tif 000011
【図１０】
0003198495.tif 000012
【手続補正書】
【提出日】平成27年4月28日(2015.4.28)
【手続補正１】
【補正対象書類名】実用新案登録請求の範囲
【補正対象項目名】全文
【補正方法】変更
【補正の内容】
【実用新案登録請求の範囲】
【請求項１】
基部と前記基部から外方へ延伸する延伸部とを備える支持部材と、
前記延伸部の前記基部と反対側の端部に連結され、弦楽器を保持する複数の保持部材と、
前記延伸部と前記保持部材を貫通して両者を連結する軸棒と、
を含むことを特徴とする弦楽器の保持装置。
【請求項２】
前記延伸部の前記基部と反対側の端部に架台部を形成し、前記複数の保持部材が前記架台部に各々取り付けられることを特徴とする請求項１に記載の弦楽器の保持装置。
【請求項３】
前記架台部の一側から複数の連結部を突出させ、前記複数の保持部材が、各々その中央部に前記連結部と互いに連結される枢着部を備えることを特徴とする請求項２に記載の弦楽器の保持装置。
【請求項４】
前記保持部材の前記枢着部から延伸する一端部に弦楽器への取付け部を形成し、他端部に指押し部を形成することを特徴とする請求項３に記載の弦楽器の保持装置。
【請求項５】
前記軸棒は、前記連結部及び前記枢着部を貫通し、前記軸棒上には、前記保持部材を軸棒の軸方向に付勢する弾性部材を装着することを特徴とする請求項４に記載の弦楽器の保持装置。
【請求項６】
前記基部は、第１側と第２側とを備え、前記第１側には、凹溝を形成すると共に、前記凹溝の中央部にホールを開設し、前記ホールが前記第１側から第２側まで貫通することを特徴とする請求項１に記載の弦楽器の保持装置。
【請求項７】
前記凹溝に蓋体を収容し、前記蓋体の中央部下面に嵌合部を形成し、前記嵌合部が前記ホールを貫通することを特徴とする請求項６に記載の弦楽器の保持装置。
【請求項８】
前記架台部には、下方へ突出する挿入突部を形成することを特徴とする請求項２に記載の弦楽器の保持装置。
【請求項９】
前記保持部材の前記枢着部と前記指押し部の間に把持部が形成され、前記把持部内に前記架台部の前記挿入突部が挿入されることを特徴とする請求項４に記載の弦楽器の保持装置。
【請求項１０】
前記支持部材の基部の前記第２側が肩当て上に当接され、前記蓋体の前記嵌合部が前記ホール及び前記肩当てに形成した貫通孔を貫通することを特徴とする請求項７に記載の弦楽器の保持装置。
【請求項１１】
前記肩当ての前記貫通孔の形成箇所に装着される台座を更に備え、前記台座が前記蓋体の前記嵌合部を収容する収容空間を有することを特徴とする請求項１０に記載の弦楽器の保持装置。
【請求項１２】
前記保持部材は弦楽器の顎当てに対して取り付けられ、前記顎当ては複数の固定棒を備え、前記保持部材の前記弦楽器への取付け部は、前記弾性部材の付勢力により前記固定棒に対して圧接、保持されることを特徴とする請求項５に記載の弦楽器の保持装置。
【請求項１３】
前記支持部材の前記延伸部の材質は、可撓性を有する金属又は非金属材料のいずれかとすることを特徴とする請求項１に記載の弦楽器の保持装置。